(57)【要約】  【課題】  火災感知信号がなくなった場合を考慮した家庭用の照明器具を提供する。  【解決手段】  火災感知器(火災報知器)１の火災感知信号に基づいて蛍光灯２を点滅モードに移行させる照明器具３において、移行前モードを記憶してから点滅モードに移行させ、火災感知信号がなくなった場合に前記移行前モードを再現可能とした照明器具３である。当然ながら移行前モードはその時々により、蛍光灯２の全光点灯モード、蛍光灯２の調光点灯モード、補助灯８のみの点灯モード、消灯モードなどがある。また、前記点滅モードでは点灯時は強制的に100％点灯モードとして点滅して、できるだけ明るさを確保している。【選択図】  図３
2006108001.tif 000002
【特許請求の範囲】
【請求項１】
火災感知器の火災感知信号に基づいて蛍光灯を点滅モードに移行させる照明器具において、移行前モードを記憶してから点滅モードに移行させ、火災感知信号がなくなった場合に前記移行前モードを再現可能とした照明器具。
【請求項２】
請求項１において、点滅モードでは点灯時は強制的に100％点灯モードとして点滅する照明器具。
【発明の詳細な説明】
【技術分野】
【０００１】
本発明は、火災感知信号に基づいて蛍光灯を警告点滅させる照明器具に関する。
【背景技術】
【０００２】
火災感知信号に基づいてキセノンランプを警告点滅させる照明装置は特許文献１により知られている。
【特許文献１】特開２００３−６８４８２号公報
【発明の開示】
【発明が解決しようとする課題】
【０００３】
しかし、前記照明装置は家庭用ではなく、火災感知信号がなくなった場合にどのような点灯状態にするのかについては全く考慮されていない。本発明はこのような解決すべき課題を鑑み、火災感知信号がなくなった場合を考慮した家庭用の照明器具を提供することを目的とする。
【課題を解決するための手段】
【０００４】
本発明を要約すると、火災感知器の火災感知信号に基づいて蛍光灯を点滅モードに移行させる照明器具において、移行前モードを記憶してから点滅モードに移行させ、火災感知信号がなくなった場合に前記移行前モードを再現可能とした照明器具である。
【発明の効果】
【０００５】
本発明によれば、移行前モードを記憶してから点滅モードに移行させるので、火災感知信号がなくなった場合に前記移行前モードを再現可能としたため、家庭用の照明器具として好適となる。
【発明を実施するための最良の形態】
【０００６】
次に、本発明の実施形態を説明するが、それはあくまで本発明に基づいて採択された例示的な実施形態であり、本発明をその実施形態に特有な事項に基づいて限定解釈してはならず、本発明の技術的範囲は、特許請求の範囲の請求項に示した事項さらにはその事項と実質的に等価である事項に基づいて定めなければならない。
【０００７】
図示の実施形態は、火災感知器(火災報知器)１の火災感知信号に基づいて蛍光灯２を点滅モードに移行させる照明器具３において、移行前モードを記憶してから点滅モードに移行させ、火災感知信号がなくなった場合に前記移行前モードを再現可能とした照明器具３である。当然ながら移行前モードはその時々により、蛍光灯２の全光点灯モード、蛍光灯２の調光点灯モード、補助灯８のみの点灯モード、消灯モードなどがある。また、前記点滅モードでは点灯時は強制的に100％点灯モードとして点滅して、できるだけ明るさを確保している。また、火災感知器１の火災感知信号に基づいて蛍光灯２を点滅モードに移行させる照明器具３において、点滅モード中に照明器具３に対して人為的操作があった場合は蛍光灯２を100%点灯モードとする照明器具３である。そして、火災感知信号がなくなった場合に蛍光灯２を全光点灯モードとしている。
【０００８】
さらに詳述すれば、照明器具３は部屋の天井６に適宜手段で設置され、交流電源７が供給されることにより点灯回路４を介して蛍光灯２を点灯可能としており、また、豆球や発光ダイオードなどの補助灯８を点灯可能としている。蛍光灯２や補助灯８の点灯・消灯制御は、制御部５内のマイコン９に入力されるリモコン受光部１０や火災感知器１からの信号に応じて、マイコン９が指令することにより成される。なお、１１はリモコン受光部１０に対して図外の送信器から送信される赤外線によるリモコン信号である。また、マイコン９には図示されないRAMが内蔵されるとともに、ユーザーによりセットされた制御モードを交流電源７の停電時にも記憶可能なEEPROM１２が接続され、さらにまた、音声IC１３及びスピーカー１４が接続される。また、火災感知器１は煙感知型または熱感知型のものであり、照明器具３の上面から外側方向に延びたアーム１５を介して設けられている。そして、蛍光灯２などは照明器具３の下面に着脱可能な半透光性のグローブ１６で覆われている。なお、火災感知器１は、交流電源７の停電時にも正常に火災感知動作して警告ブザー音を鳴らすために電池で駆動されるのが好適である。
【０００９】
照明器具３はリモコン信号１１により蛍光灯２や補助灯８を点灯または消灯させる通常の機能を備え、さらに、火災感知器１が火災感知信号を発すれば火災感知器１自体のブザーも鳴る。そして、火災感知信号を受けたマイコン９はまず、図３のフローのように前記RAMに直前の点灯モード(前記移行前モード)を退避記憶させる。次に蛍光灯２の点滅モードに移行され、２分タイマがカウント開始される。ここで、２分経過すれば蛍光灯２は100%点灯モードとなって最高の明るさで点灯持続する。そして、火災感知信号がなくなると、前記RAMに記憶されていた移行前モードが再現する。例えば、移行前モードが蛍光灯２の調光モードであればここで同じく調光モードになり、移行前モードが消灯モードであればここで消灯することになる。なお、２分経過する前の蛍光灯２の点滅モード中に火災感知信号がなくなった場合でも、移行前モードが再現される。
【００１０】
また、この点滅モード中に、火災感知信号が続いている場合は、照明器具３に対して人為的操作があったかどうかが考慮される。人為的操作とは、人が火災感知器１のブザー音や蛍光灯２の点滅により火災発生に気づいて、点滅モードを止めたいために図外のリモコン送信器でリモコン信号１１を送信した、照明器具３自体に備わっているスイッチを操作した、あるいは、照明器具３の配電系統にある壁スイッチのオフ・オン操作などが含まれ、そのような人為的操作があると、蛍光灯２は100%点灯モードにて最高の明るさで点灯持続するようになる。そして、火災感知信号がなくなると蛍光灯２は全光点灯モードとなる。この全光点灯モードは、最近ではリモコン送信器側の操作により20〜100%などの範囲中の好みのレベルに記憶設定(EEPROM１２に記憶)できるようになっており、そのような場合は、その記憶されたレベルによる全光点灯モードを意味する。なお、警告点滅モードの継続時間は２分に限らず2〜5分間程度としてもよい。
【００１１】
本実施形態によれば、移行前モードを記憶してから点滅モードに移行させるため、火災感知信号がなくなった場合に前記移行前モードを再現することができ、家庭用の照明器具として好適となる。
【図面の簡単な説明】
【００１２】
【図１】本発明の実施形態を示す回路ブロック図
【図２】同外観側面図
【図３】同動作を示すフロー図
【符号の説明】
【００１３】
１  火災感知器(火災報知器)
２  蛍光灯
３  照明器具
【図１】
2006108001.tif 000003
【図２】
2006108001.tif 000004
【図３】
2006108001.tif 000005